(57)【要約】【課題】従来よりも便利なコミュニケーションサービスを提供できるネットワークシステム、サーバ、情報提供方法を提供する。【解決手段】ユーザによるサービスの利用に関する情報を、ユーザに対応するＳＮＳ（Social Networking Service）のグループに投稿する、ネットワークシステム１が提供される。あるいは、機器２００を介したサービスの利用に関する情報を、機器２００に対応するＳＮＳのグループに投稿する、ネットワークシステム１が提供される。【選択図】図１
2016118952.tif 000002
【特許請求の範囲】
【請求項１】
ユーザによるサービスの利用に関する情報を、前記ユーザに対応するＳＮＳ（Social Networking Service）のグループに投稿する、ネットワークシステム。
【請求項２】
前記情報を、前記ユーザに対応するＳＮＳのグループの他のユーザに向けて出力する、請求項１に記載のネットワークシステム。
【請求項３】
前記情報を、前記ユーザに対応するＳＮＳのグループのうちの指定されたユーザに向けて出力する、請求項１に記載のネットワークシステム。
【請求項４】
通信インターフェイスと、
前記通信インターフェイスを介して、ユーザによるサービスの利用に関する情報を取得して、当該情報を前記ユーザに対応するＳＮＳのグループに投稿するためのプロセッサとを備えるサーバ。
【請求項５】
ＳＮＳを利用した情報提供方法であって、
ユーザが、サービスを利用するステップと、
サーバが、前記ユーザに対応するＳＮＳのグループに、前記ユーザによるサービスの利用に関する情報を投稿する、情報提供方法。
【請求項６】
機器を介したサービスの利用に関する情報を、前記機器に対応するＳＮＳのグループに投稿する、ネットワークシステム。
【請求項７】
前記情報を、前記機器に対応するＳＮＳのグループの他の機器に対して出力する、請求項６に記載のネットワークシステム。
【請求項８】
前記情報を、前記機器に対応するＳＮＳのグループのうちの指定の機器に対して出力する、請求項６に記載のネットワークシステム。
【請求項９】
通信インターフェイスと、
前記通信インターフェイスを介して、機器を介したサービスの利用に関する情報を取得して、当該情報を前記機器に対応するＳＮＳのグループに投稿するためのプロセッサとを備えるサーバ。
【請求項１０】
ＳＮＳを利用した情報提供方法であって、
ユーザが、機器を介してサービスを利用するステップと、
サーバが、前記機器に対応するＳＮＳのグループに、前記機器を介したサービスの利用に関する情報を投稿する、情報提供方法。
【発明の詳細な説明】
【技術分野】
【０００１】
本発明は、ネットワークを介して情報を提供するための技術に関し、特に人と人とのつながりを促進・サポートするためのＳＮＳ（Social Networking Service）を利用した情報を提供するための技術に関する。
【背景技術】
【０００２】
従来から、ネットワークを介した情報のやり取りに関する技術が提案されている。たとえば、特開２０１４−１６４７１７号公報（特許文献１）には、情報提供装置、情報提供装置の情報提供方法、情報提供プログラム、記録媒体が開示されている。特開２０１４−１６４７１７号公報（特許文献１）によると、複数のユーザによって入力された複数のメッセージを時系列順に編成したメッセージデータの全部あるいは一部をソース情報として取得するソース情報取得手段と、上記ソース情報取得手段が取得した上記ソース情報を解析し、該ソース情報の特徴を示す特徴情報を確定する特徴解析手段と、確定した上記特徴情報を用いて、該特徴情報に関連する関連情報を得る関連情報取得手段と、上記関連情報取得手段が得た上記関連情報を、上記メッセージデータと同時に上記ユーザのユーザ端末において表示させるように指示する関連情報表示指示手段と、を備える。
【先行技術文献】
【特許文献】
【０００３】
【特許文献１】特開２０１４−１６４７１７号公報
【発明の概要】
【発明が解決しようとする課題】
【０００４】
現在、さらに便利なコミュニケーションサービスが求められている。本発明の目的は、従来よりも便利なコミュニケーションサービスを提供できるネットワークシステム、サーバ、情報提供方法を提供することにある。
【課題を解決するための手段】
【０００５】
この発明のある態様に従うと、ユーザによるサービスの利用に関する情報を、ユーザに対応するＳＮＳ（Social Networking Service）のグループに投稿する、ネットワークシステムが提供される。
【０００６】
好ましくは、ネットワークシステムは、情報を、ユーザに対応するＳＮＳのグループの他のユーザに向けて出力する。
【０００７】
好ましくは、ネットワークシステムは、情報を、ユーザに対応するＳＮＳのグループのうちの指定されたユーザに向けて出力する。
【０００８】
この発明の別の態様に従うと、通信インターフェイスと、通信インターフェイスを介して、ユーザによるサービスの利用に関する情報を取得して、ユーザに対応するＳＮＳのグループに投稿するためのプロセッサとを備えるサーバが提供される。
【０００９】
この発明の別の態様に従うと、ＳＮＳを利用した情報提供方法が提供される。情報提供方法は、ユーザがサービスを利用するステップと、サーバがユーザに対応するＳＮＳのグループにユーザによるサービスの利用に関する情報を投稿するステップとを備える。
【００１０】
この発明の別の態様に従うと、機器を介したサービスの利用に関する情報を、機器に対応するＳＮＳのグループに投稿する、ネットワークシステムが提供される。
【００１１】
好ましくは、ネットワークシステムは、情報を、機器に対応するＳＮＳのグループの他の機器に対して出力する。
【００１２】
好ましくは、ネットワークシステムは、情報を、機器に対応するＳＮＳのグループのうちの指定の機器に対して出力する。
【００１３】
この発明の別の態様に従うと、通信インターフェイスと、通信インターフェイスを介して、機器を介したサービスの利用に関する情報を取得して、機器に対応するＳＮＳのグループに投稿するためのプロセッサとを備えるサーバが提供される。
【００１４】
この発明の別の態様に従うと、ＳＮＳを利用した情報提供方法が提供される。情報提供方法は、ユーザが機器を介してサービスを利用するステップと、サーバが機器に対応するＳＮＳのグループに機器を介したサービスの利用に関する情報を投稿するステップとを備える。
【００１５】
以上のように、この発明によれば、従来よりも便利なコミュニケーションサービスを提供できるネットワークシステム、サーバ、情報提供方法が提供される。
【図面の簡単な説明】
【００１６】
【図１】第１の実施の形態にかかるネットワークシステム１の全体構成と第１の動作概要とを示すイメージ図である。
【図２】第１の実施の形態にかかるネットワークシステム１の第１の動作概要の通信端末６００の画面例を示すイメージ図である。
【図３】第１の実施の形態にかかるネットワークシステム１の全体構成と第２の動作概要とを示すイメージ図である。
【図４】第１の実施の形態にかかるネットワークシステム１の第２の動作概要の通信端末６００の画面例を示すイメージ図である。
【図５】第１の実施の形態にかかるサービス提供サーバ１００のハードウェア構成を表わすブロック図である。
【図６】第１の実施の形態にかかる機器２００のハードウェア構成を表わすブロック図である。
【図７】第１の実施の形態にかかるリモートコントローラ３００のハードウェア構成を表わすブロック図である。
【図８】第１の実施の形態にかかるＳＮＳサーバ５００のハードウェア構成を表わすブロック図である。
【図９】第１の実施の形態にかかるユーザグループデータベース５２１を示すイメージ図である。
【図１０】第１の実施の形態にかかるＳＮＳサーバ５００の情報処理を示すフローチャートである。
【図１１】第１の実施の形態にかかる通信端末６００のハードウェア構成を表わすブロック図である。
【図１２】第２の実施の形態にかかるネットワークシステム１の動作概要のテレビ２００の画面例を示すイメージ図である。
【図１３】第２の実施の形態にかかるネットワークシステム１の動作概要の通信端末６００の画面例を示すイメージ図である。
【図１４】第２の実施の形態にかかるユーザグループデータベース５２２を示すイメージ図である。
【図１５】第２の実施の形態にかかるＳＮＳサーバ５００の情報処理を示すフローチャートである。
【図１６】第３の実施の形態にかかるユーザグループデータベース５２３を示すイメージ図である。
【図１７】第３の実施の形態にかかるＳＮＳサーバ５００の情報処理を示すフローチャートである。
【図１８】第４の実施の形態にかかるネットワークシステム１の第１の動作概要の通信端末６００の画面例を示すイメージ図である。
【図１９】第４の実施の形態にかかるネットワークシステム１の第２の動作概要の通信端末６００の画面例を示すイメージ図である。
【図２０】第４の実施の形態にかかる機器グループデータベース５２４を示すイメージ図である。
【図２１】第４の実施の形態にかかるＳＮＳサーバ５００の情報処理を示すフローチャートである。
【図２２】第５の実施の形態にかかる機器グループデータベース５２５を示すイメージ図である。
【図２３】第５の実施の形態にかかるＳＮＳサーバ５００の情報処理を示すフローチャートである。
【図２４】第６の実施の形態にかかる機器グループデータベース５２６を示すイメージ図である。
【図２５】第６の実施の形態にかかるＳＮＳサーバ５００の情報処理を示すフローチャートである。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステムの全体構成＞
【００１８】
まず、図１および図２を参照して、本実施の形態にかかるネットワークシステム１の全体構成について説明する。なお、図１は、本実施の形態にかかるネットワークシステム１の全体構成と第１の動作概要とを示すイメージ図である。
【００１９】
本実施の形態にかかるネットワークシステム１は、主に、１つ以上のサービス提供サーバ１００と、住宅やオフィスなどに設置される１つ以上の機器２００と、ＳＮＳ（Social Networking Service）を提供する１つ以上のＳＮＳサーバ５００と、ユーザが利用するスマートフォン６００Ａ，６００Ｂ，６００Ｃやパーソナルコンピュータ６００Ｄとを含む。
【００２０】
サービス提供サーバ１００の各々は、インターネットやルータなどを介して機器２００やＳＮＳサーバ５００に接続される。サービス提供サーバ１００の各々は、機器２００を介したユーザからの命令に応じてサービスを提供する。
【００２１】
たとえば、サービス提供サーバ１００の１つは、ショッピングサイトを運営するためのサーバである。たとえば、サービス提供サーバ１００の１つは、映像を配信するためのサーバである。たとえば、サービス提供サーバ１００の１つは、テレビ番組に関連したサービスを提供するためのサーバである。たとえば、サービス提供サーバ１００の１つは、その他のＷｅｂサーバである。
【００２２】
機器２００は、ユーザから受け付けた操作命令に応じて、各種のデータをサービス提供サーバ１００やＳＮＳサーバ５００に送信したり、各種のデータをサービス提供サーバ１００やＳＮＳサーバ５００から受信したりする。たとえば、機器２００は、ユーザからの操作命令やセンサで検知した数値などをサービス提供サーバ１００やＳＮＳサーバ５００に送信する。逆に、機器２００は、制御命令やテキストや画像などをサービス提供サーバ１００やＳＮＳサーバ５００から受信する。
【００２３】
なお、機器２００は、照明、冷蔵庫、エアコン、加湿器、除湿器、自走式掃除機、洗濯機などの家電、テレビ、ハードディスクレコーダ、音楽プレーヤーなどのＡＶ（オーディオ・ビジュアル）機器、太陽光発電機、インターホン、給湯器、扉センサ、トイレのコントローラなどの住宅設備、などであってもよい。これらの装置を総称して、機器２００ともいう。
【００２４】
スマートフォン６００Ａ，６００Ｂ，６００Ｃ、パーソナルコンピュータ６００Ｄなどは、ＳＮＳサーバ５００が運営するＳＮＳのページにメッセージを投稿したり、ＳＮＳから情報を取得したりする。スマートフォン６００Ａ，６００Ｂ，６００Ｃ、パーソナルコンピュータ６００Ｄなどを総称して、通信端末６００ともいう。
【００２５】
なお、通信端末６００が機器２００であってもよい。
＜ネットワークシステムの第１の動作概要＞
【００２６】
次に、図１および図２を参照して、本実施の形態にかかるネットワークシステム１の第１の動作概要について説明する。なお、図２は、本実施の形態にかかるネットワークシステム１の第１の動作概要の通信端末６００の画面例を示すイメージ図である。
【００２７】
本実施の形態においては、通信端末６００や機器２００のユーザは、通信端末６００や機器２００を介してＳＮＳを利用する。具体的には、ユーザは、通信端末６００や機器２００を介して、自分が属するグループのページにメッセージを投稿したり、自分が属するグループのページに記載されたメッセージを閲覧したり、自分が属するグループの機器２００に命令を送信したりする。
【００２８】
そして、たとえば、図１に示すように、おじいさんが、リモートコントローラ３００を利用して、テレビ２００を介して、サービス提供サーバ１００が運営するショッピングサイトで本を購入する。すると、ＳＮＳサーバ５００は、サービス提供サーバ１００から当該購入に関する情報を取得して、おじいさんの家族のグループのページに、おじいさんが本を購入したことを知らせるためのメッセージを投稿する。
【００２９】
すると、図２に示すように、おじいさんの属するグループに属するユーザの通信端末６００が、自動的に投稿されたメッセージを表示することができる。その結果、おじいさんと同じグループに属するユーザは、通信端末６００を介して、おじいさんの動向を把握することができる。
＜ネットワークシステムの第２の動作概要＞
【００３０】
次に、図３および図４を参照して、本実施の形態にかかるネットワークシステム１の第２の動作概要について説明する。なお、図３は、本実施の形態にかかるネットワークシステム１の全体構成と第２の動作概要とを示すイメージ図である。図４は、本実施の形態にかかるネットワークシステム１の第２の動作概要の通信端末６００の画面例を示すイメージ図である。
【００３１】
図３に示すように、たとえば、おじいさんが、テレビ２００でクイズ番組を視聴している。おじいさんは、リモートコントローラ３００を利用して、クイズ番組で出題されるクイズに回答する。具体的には、おじいさんは、リモートコントローラ３００を利用してテレビ２００に回答を入力する。テレビ２００は、回答をサービス提供サーバ１００に送信する。サービス提供サーバ１００は、添削結果をテレビ２００に返信する。
【００３２】
本実施の形態においては、ＳＮＳサーバ５００も、サービス提供サーバ１００から当該クイズの回答結果に関する情報を取得する。ＳＮＳサーバ５００は、おじいさんの家族のグループのページに、おじいさんのクイズの回答の採点結果を知らせるためのメッセージを投稿する。
【００３３】
すると、図４に示すように、おじいさんの属するグループに属するユーザの通信端末６００が、投稿されたメッセージを表示することができる。その結果、おじいさんと同じグループに属するユーザは、通信端末６００を介して、おじいさんの動向を把握することができる。
【００３４】
なお、おじいさん以外の他のメンバー、たとえばお父さんや子供たちが他のテレビや通信端末６００を介して、同じ番組のクイズに回答した場合、かれらの採点結果もグループのページに投稿される。
＜ネットワークシステムの他の動作概要＞
【００３５】
たとえば、機器２００は、ユーザから受け付けた操作命令や機器２００の使用状態をサービス提供サーバ１００に送信してもよい。そして、サービス提供サーバ１００が、当該情報をＳＮＳサーバ５００に送信してもよい。そして、ＳＮＳサーバ５００が、機器２００がユーザから受け付けた操作命令や機器２００の使用状態を、ユーザの属するグループのページに投稿してもよい。この場合も、おじいさんと同じグループに属するユーザは、通信端末６００を介して、おじいさんの動向を把握することができる。
【００３６】
以下では、このような機能を実現するためのネットワークシステム１について詳細に説明する。
＜サービス提供サーバ１００のハードウェア構成＞
【００３７】
まず、ネットワークシステム１を構成するサービス提供サーバ１００のハードウェア構成の一態様について説明する。なお、図５は、本実施の形態にかかるサービス提供サーバ１００のハードウェア構成を表わすブロック図である。
【００３８】
図５を参照して、サービス提供サーバ１００は、主たる構成要素として、プロセッサ１１０と、メモリ１２０と、各種ライト１３０と、各種スイッチ１４０と、通信インターフェイス１６０とを含む。
【００３９】
プロセッサ１１０は、メモリ１２０あるいは外部の記憶媒体に記憶されているプログラムを実行することによって、サービス提供サーバ１００の各部を制御する。すなわち、プロセッサ１１０は、メモリ１２０に格納されているプログラムを実行することによって、後述する各種の処理を実行する。
【００４０】
メモリ１２０は、各種のＲＡＭ（Random  Access  Memory）、各種のＲＯＭ（Read-Only  Memory）、フラッシュメモリーなどによって実現される。なお、メモリ１２０は、インターフェイスを介して利用される、ＵＳＢ（Universal  Serial  Bus）（登録商標）メモリ、ＣＤ（Compact  Disc）、ＤＶＤ（Digital  Versatile  Disk）、メモリカード、ハードディスク、ＩＣ（Integrated  Circuit）カード、光カード、マスクＲＯＭ、ＥＰＲＯＭ（Erasable Programmable Read Only Memory）、ＥＥＰＲＯＭ（Electronically  Erasable  Programmable  Read-Only  Memory）などの記憶媒体などによっても実現される。
【００４１】
メモリ１２０は、プロセッサ１１０によって実行されるプログラムや、プロセッサ１１０によるプログラムの実行により生成されたデータ、スイッチ１４０から入力されたデータ、他の機器から受信したデータを記憶する。
【００４２】
ライト１３０は、プロセッサ１１０からの信号によって点灯・点滅・消灯することによって、サービス提供サーバ１００の各種の状態を外部に伝える。
【００４３】
スイッチ１４０は、管理者からの命令を受け付けて、当該命令をプロセッサ１１０に入力する。
【００４４】
通信インターフェイス１６０は、プロセッサ１１０からのデータを、インターネット、キャリア網、ルータなどを介して他の機器に送信する。通信インターフェイス１６０は、インターネット、キャリア網、ルータなどを介して他の機器からのデータを受信して、プロセッサ１１０に受け渡す。
【００４５】
本実施の形態においては、プロセッサ１１０は、通信インターフェイス１６０を介して、機器２００から各種のデータ、たとえば機器２００への操作命令やサービスを利用するための情報など、を受信する。そして、プロセッサ１１０は、通信インターフェイス１６０を介して、機器２００からのデータに基づいて、ＳＮＳサーバ５００から要求される情報、たとえば機器２００に対する操作命令やサービスの利用を示す情報など、をＳＮＳサーバ５００に送信する。
＜機器２００のハードウェア構成＞
【００４６】
次に、機器２００のハードウェア構成の一態様について説明する。図６は、本実施の形態にかかる機器２００のハードウェア構成を表わすブロック図である。
【００４７】
図６を参照して、機器２００は、主たる構成要素として、プロセッサ２１０と、メモリ２２０と、各種ライト２３０と、各種スイッチ２４０と、通信インターフェイス２６０と、スピーカ２７０と、機器駆動部２９０とを含む。
【００４８】
プロセッサ２１０は、メモリ２２０あるいは外部の記憶媒体に記憶されているプログラムを実行することによって、機器２００の各部を制御する。すなわち、プロセッサ２１０は、メモリ２２０に格納されているプログラムを実行することによって、後述する各種の処理を実行する。
【００４９】
メモリ２２０は、各種のＲＡＭ、各種のＲＯＭ、フラッシュメモリーなどによって実現される。メモリ２２０は、プロセッサ２１０によって実行されるプログラムや、プロセッサ２１０によるプログラムの実行により生成されたデータ、入力されたデータ、サービス提供サーバ１００から受信したデータなどを記憶する。
【００５０】
ライト２３０は、プロセッサ２１０からの信号によって点灯・点滅・消灯することによって、機器２００の各種の状態を外部に伝える。
【００５１】
スイッチ２４０は、ユーザからの命令を受け付けて、当該命令をプロセッサ２１０に入力する。
【００５２】
通信インターフェイス２６０は、プロセッサ２１０からのデータ、たとえば、機器が検知した各種の状態および機器がユーザからリモートコントローラ３００などを介して受け付けた命令など、をサービス提供サーバ１００に送信する。逆に、通信インターフェイス２６０は、インターネット、ルータ、アダプタなどを介してサービス提供サーバ１００からのデータ、ＳＮＳサーバ５００からのデータ、他の端末からの制御命令、テキストデータ、画像データなどを受信してプロセッサ２１０に受け渡す。
【００５３】
なお、プロセッサ２１０は、上記のデータを、ログイン中のユーザを特定するためのユーザＩＤおよび機器２００を特定するための機器ＩＤとともに、サービス提供サーバ１００に送信する。
【００５４】
スピーカ２７０は、プロセッサ２１０からの音声信号に基づいて音声、音楽などの様々な音声を出力する。
【００５５】
リモートコントローラ受光部２８０は、リモートコントローラからの赤外線信号やその他の電波信号を受光して、当該信号をプロセッサ１１０に入力する。
【００５６】
機器駆動部２９０は、プロセッサ２１０からの制御命令に基づいて、モータ、アクチュエータ、センサなどを制御することによって、機器２００の主要な役割を果たす。
【００５７】
機器２００は、その他にも、カメラなどの画像センサ、マイクなどの音声センサ、温度センサ、人感センサなどを搭載してもよい。そして、プロセッサ２１０は、当該センサを介して取得した各種の情報を、通信インターフェイス２６０を介して、サーバ１００に送信する。
＜リモートコントローラ３００のハードウェア構成＞
【００５８】
次に、リモートコントローラ３００のハードウェア構成の一態様について説明する。図７は、本実施の形態にかかるリモートコントローラ３００のハードウェア構成を表わすブロック図である。
【００５９】
図７を参照して、リモートコントローラ３００は、主たる構成要素として、プロセッサ３１０と、メモリ３２０と、各種スイッチ３４０と、通信インターフェイス３６０とを含む。
【００６０】
プロセッサ３１０は、メモリ３２０あるいは外部の記憶媒体に記憶されているプログラムを実行することによって、リモートコントローラ３００の各部を制御する。たとえば、プロセッサ３１０は、メモリ３２０に格納されているプログラムを実行することによって、ユーザによって押されたスイッチ３４０に対応する信号を通信インターフェイス３６０に受け渡す。
【００６１】
メモリ３２０は、各種のＲＡＭ、各種のＲＯＭ、フラッシュメモリーなどによって実現される。メモリ３２０は、プロセッサ３１０によって実行されるプログラムや、プロセッサ３１０によるプログラムの実行により生成されたデータや入力されたデータなどを記憶する。
【００６２】
スイッチ３４０は、ユーザからの命令を受け付けて、当該命令をプロセッサ３１０に入力する。
【００６３】
通信インターフェイス３６０は、プロセッサ３１０からのデータを機器２００に送信する。たとえば、通信インターフェイス３６０は、ＬＥＤや他のライトなどによって実現され、プロセッサ３３０からの信号に基づいて赤外線を発する。あるいは、通信インターフェイス３６０は、ＷｉＦｉ（登録商標）やＢｌｕｅｔｏｏｔｈ（登録商標）用のアンテナによって実現され、プロセッサ３３０からの命令に基づいて信号を発信する。
【００６４】
たとえば、図１を参照して、プロセッサ３１０は、ユーザから商品を選択するための命令を受け付けて、通信インターフェイス３６０を介して当該命令をテレビ２００に送信する。あるいは、図３を参照して、プロセッサ３１０は、ユーザから回答を選択するための命令を受け付けて、通信インターフェイス３６０を介して当該命令をテレビ２００に送信する。
＜ＳＮＳサーバ５００のハードウェア構成＞
【００６５】
次に、ネットワークシステム１を構成するＳＮＳサーバ５００のハードウェア構成の一態様について説明する。なお、図８は、本実施の形態にかかるＳＮＳサーバ５００のハードウェア構成を表わすブロック図である。
【００６６】
図８を参照して、ＳＮＳサーバ５００は、主たる構成要素として、プロセッサ５１０と、メモリ５２０と、各種ライト５３０と、各種スイッチ５４０と、通信インターフェイス５６０とを含む。
【００６７】
プロセッサ５１０は、メモリ５２０あるいは外部の記憶媒体に記憶されているプログラムを実行することによって、ＳＮＳサーバ５００の各部を制御する。すなわち、プロセッサ５１０は、メモリ５２０に格納されているプログラムを実行することによって各種の処理を実行する。
【００６８】
メモリ５２０の具体例は、サービス提供サーバ１００と同様であるため、ここでは説明を繰り返さない。メモリ５２０は、プロセッサ５１０によって実行されるプログラムや、プロセッサ５１０によるプログラムの実行により生成されたデータ、入力されたデータ、他の機器から受信したデータを記憶する。本実施の形態にかかるメモリ５２０は、ユーザグループデータベース５２１を格納する。
【００６９】
図９は、本実施の形態にかかるユーザグループデータベース５２１を示すイメージ図である。図９を参照して、ユーザグループデータベース５２１は、ユーザとグループとの対応関係を格納する。なお、グループＩＤが、本実施の形態にかかるＳＮＳのグループを特定する。
【００７０】
たとえば、ユーザグループデータベース５２１は、家族を特定するためのＩＤと、当該家族のユーザを特定するためのＩＤと、当該ユーザのニックネームなどを対応付けて格納する。これによって、プロセッサ５１０は、ユーザグループデータベース５２１を参照することによって、サービス提供サーバ１００から受け付けたユーザＩＤに対応するグループや、当該グループに属するユーザのＩＤを特定することができる。
【００７１】
図８に戻って、ライト５３０は、プロセッサ５１０からの信号によって点灯・点滅・消灯することによって、ＳＮＳサーバ５００の各種の状態を外部に伝える。
【００７２】
スイッチ５４０は、管理者からの命令を受け付けて、当該命令をプロセッサ５１０に入力する。
【００７３】
通信インターフェイス５６０は、プロセッサ５１０からのデータを、インターネット、キャリア網、ルータなどを介してアダプタ、サービス提供サーバ１００、通信端末６００に送信する。通信インターフェイス５６０は、インターネット、キャリア網、ルータなどを介してアダプタ、サービス提供サーバ１００、通信端末６００からの各種のデータを受信して、プロセッサ５１０に受け渡す。
＜ＳＮＳサーバ５００における情報処理＞
【００７４】
次に、図１０を参照しながら、本実施の形態にかかるＳＮＳサーバ５００の情報処理について説明する。なお、図１０は、本実施の形態にかかるＳＮＳサーバ５００の情報処理を示すフローチャートである。
【００７５】
ＳＮＳサーバ５００のプロセッサ５１０は、通信インターフェイス５６０を介して、サービス提供サーバ１００から、データを受信した際に以下の処理を実行する。
【００７６】
プロセッサ５１０は、サービス提供サーバ１００からのデータから、ユーザＩＤと、ユーザが利用したサービスを示す情報とを抽出する（ステップＳ１０２）。
【００７７】
プロセッサ５１０は、ユーザグループデータベース５２１を参照して、ユーザＩＤに対応するグループＩＤを特定する。たとえば、プロセッサ５１０は、サービスを利用したユーザの家族ＩＤを特定する（ステップＳ１０４）。
【００７８】
プロセッサ５１０は、当該グループＩＤに基づいて、ユーザが属するＳＮＳのグループのページに、ユーザが利用したサービスを示す情報と、ユーザ名とを投稿する（ステップＳ１０８）。
【００７９】
これによって、プロセッサ５１０は、通信端末６００からのページ取得情報に基づいて、通信インターフェイス５６０を介して、ユーザが利用したサービスを示す情報とユーザ名とを含む、ユーザが属するＳＮＳのグループのページのデータを通信端末６００に送信する。
＜通信端末６００のハードウェア構成＞
【００８０】
次に、通信端末６００のハードウェア構成の一態様について説明する。なお、図１１は、本実施の形態にかかる通信端末６００のハードウェア構成を表わすブロック図である。
【００８１】
図１１を参照して、通信端末６００は、主たる構成要素として、プロセッサ６１０と、メモリ６２０と、タッチパネル６５０（ディスプレイ６３０とポインティングデバイス６４０）と、通信インターフェイス６６０と、スピーカ６８０とを含む。
【００８２】
プロセッサ６１０は、メモリ６２０あるいは外部の記憶媒体に記憶されているプログラムを実行することによって、通信端末６００の各部を制御する。すなわち、プロセッサ６１０は、メモリ６２０に格納されているプログラムを実行することによって、後述する各種の処理を実行する。
【００８３】
メモリ６２０は、各種のＲＡＭ、各種のＲＯＭ、フラッシュメモリーなどによって実現される。なお、メモリ６２０は、様々なインターフェイスを介して利用される、ＳＤカードやマイクロＳＤカードのようなメモリカード、ＵＳＢ（登録商標）メモリ、ＣＤ、ＤＶＤ、ハードディスク、ＩＣカード、光カード、マスクＲＯＭ、ＥＰＲＯＭ、ＥＥＰＲＯＭなどの記憶媒体などによっても実現される。
【００８４】
メモリ６２０は、プロセッサ６１０によって実行されるプログラムや、プロセッサ６１０によるプログラムの実行により生成されたデータ、ポインティングデバイス６４０を介して入力されたデータ、サービス提供サーバ１００およびＳＮＳサーバ５００から受信したデータなどを記憶する。特に、本実施の形態においては、メモリ６２０は、機器制御アプリケーションを記憶している。プロセッサ６１０は、メモリ６２０の機器制御アプリケーションに従って、機器２００の制御命令をＳＮＳサーバ５００やサービス提供サーバ１００、機器２００からの情報をＳＮＳサーバ５００やサービス提供サーバ１００から受信したりする。
【００８５】
ディスプレイ６３０は、プロセッサ６１０からの信号に基づいて、文字や画像を出力する。ポインティングデバイス６４０は、ユーザからの命令を受け付けて、当該命令をプロセッサ６１０に入力する。なお、本実施の形態においては、通信端末６００は、ディスプレイ６３０とポインティングデバイス６４０とが組み合わされたタッチパネル６５０を有する。プロセッサ６１０は、ディスプレイ６３０に、機器２００を制御するための画面やＳＮＳの家族のページなどを表示させる。
【００８６】
通信インターフェイス６６０は、アンテナやコネクタによって実現される。通信インターフェイス６６０は、有線通信あるいは無線通信によって他の装置との間でデータをやり取りする。プロセッサ６１０は、通信インターフェイス６６０を介して、テキストデータ、画像データなどを、サービス提供サーバ１００およびＳＮＳサーバ５００などの他の装置に送信する。たとえば、プロセッサ６１０は、機器２００に対する制御命令をサービス提供サーバ１００およびＳＮＳサーバ５００に送信する。また、プロセッサ６１０は、通信インターフェイス６６０を介して、プログラム、制御命令、画像データ、テキストデータなどを、サービス提供サーバ１００およびＳＮＳサーバ５００などの他の装置から受信する。
【００８７】
スピーカ６８０は、プロセッサ６１０からの音声信号に基づいて通話音声、音楽、動画などの様々な音声を出力する。
＜第２の実施の形態＞
【００８８】
第１の実施の形態においては、サービスを利用したユーザの属するグループのＳＮＳのページに、当該サービスの利用に関する情報を投稿するものであった。そして、当該グループに属する全てのユーザが当該情報を閲覧可能なものであった。一方、本実施の形態においては、ユーザ毎に情報の提供を禁止することができるものである。
【００８９】
なお、本実施の形態にかかるネットワークシステム１の全体構成および各機器のハードウェア構成については、第１の実施の形態のそれらと同様であるため、以下では、本実施の形態にかかる動作概要とユーザグループデータベースとＳＮＳサーバ５００における処理に関して説明するものとする。
＜ネットワークシステムの第１の動作概要＞
【００９０】
次に、図１、図２、図１２、図１３を参照して、本実施の形態にかかるネットワークシステム１の第１の動作概要について説明する。なお、図１２は、本実施の形態にかかるネットワークシステム１の動作概要のテレビ２００の画面例を示すイメージ図である。図１３は、本実施の形態にかかるネットワークシステム１の動作概要の通信端末６００の画面例を示すイメージ図である。
【００９１】
図１に示すように、たとえば、おじいさんが、リモートコントローラ３００を利用して、テレビ２００を介して、サービス提供サーバ１００が運営するショッピングサイトで本を購入する。すると、ＳＮＳサーバ５００は、サービス提供サーバ１００から当該購入に関する情報を取得して、おじいさんの家族のグループのページに、おじいさんが本を購入したことを知らせるためのメッセージを投稿する。
【００９２】
すると、図２に示すように、おじいさんの属するグループに属する他のユーザの通信端末６００が、自動的に投稿されたメッセージを表示することができる。その結果、おじいさんと同じグループに属する他のユーザは、通信端末６００を介して、おじいさんの動向を把握することができる。
【００９３】
ただし、本実施の形態においては、図１２に示すように、おじいさんがログインしている機器２００に関しては、おじいさんが本を購入したことを知らせるためのメッセージが表示されない。なお、図１３に示すように、おじいさんがスマートフォンからＳＮＳにログインしている場合にも、当該スマートフォンには、おじいさんが本を購入したことを知らせるためのメッセージが表示されない。これによって、おじいさんは、自分が監視されているという嫌な気分を味わいにくくなる。
＜ネットワークシステムの第２の動作概要＞
【００９４】
次に、図３、図４、図１２、図１３を参照して、本実施の形態にかかるネットワークシステム１の第１の動作概要について説明する。
【００９５】
図３に示すように、たとえば、おじいさんが、テレビ２００でクイズ番組を視聴している。おじいさんは、リモートコントローラ３００を利用して、クイズ番組で出題されるクイズに回答する。具体的には、おじいさんは、リモートコントローラ３００を利用してテレビ２００に回答を入力する。テレビ２００は、回答をサービス提供サーバ１００に送信する。サービス提供サーバ１００は、採点結果をテレビ２００に返信する。
【００９６】
ＳＮＳサーバ５００も、サービス提供サーバ１００から当該クイズの回答結果に関する情報を取得する。ＳＮＳサーバ５００は、おじいさんの家族のグループのページに、おじいさんのクイズの回答の採点結果を知らせるためのメッセージを投稿する。
【００９７】
すると、図４に示すように、おじいさんの属するグループに属するユーザの通信端末６００が、投稿されたメッセージを表示することができる。その結果、おじいさんと同じグループに属するユーザは、通信端末６００を介して、おじいさんの動向を把握することができる。
【００９８】
ただし、本実施の形態においては、図１２に示すように、おじいさんがログインしている機器２００に関しては、クイズの回答結果を示すメッセージが表示されない。同様に、図１３に示すように、おじいさんがスマートフォンからＳＮＳにログインしている場合にも、当該スマートフォンには、クイズの回答結果を示すメッセージが表示されない。これによって、おじいさんは、自分が監視されているという嫌な気分を味わいにくくなる。
＜ネットワークシステムの他の動作概要＞
【００９９】
他にも、たとえば、機器２００が、ユーザから受け付けた操作命令や機器２００の使用状態をサービス提供サーバ１００に送信してもよい。そして、サービス提供サーバ１００が、当該情報をＳＮＳサーバ５００に送信してもよい。そして、ＳＮＳサーバ５００が、機器２００がユーザから受け付けた操作命令や機器２００の使用状態を、ユーザの属するグループのページに投稿してもよい。この場合は、おじいさんには、おじいさんからの操作命令やおじいさんの機器２００の使用状態が表示されない。
＜ユーザグループデータベース５２２＞
【０１００】
次に、本実施の形態にかかるユーザグループデータベース５２２について説明する。図１４は、本実施の形態にかかるユーザグループデータベース５２２を示すイメージ図である。図１４を参照して、ユーザグループデータベース５２２は、ユーザとグループと情報を提示しないサービスを特定するための情報との対応関係を格納する。なお、グループＩＤが、本実施の形態にかかるＳＮＳのグループを特定する。
【０１０１】
たとえば、ユーザグループデータベース５２２は、家族を特定するためのＩＤと、当該家族のユーザを特定するためのＩＤと、当該ユーザのニックネームなどと、当該ユーザに情報を表示しないサービスを特定するための情報とを対応付けて格納する。これによって、プロセッサ５１０は、ユーザグループデータベース５２２を参照することによって、サービス提供サーバ１００から受け付けたユーザＩＤに対応するグループや、当該グループに属するユーザのＩＤを特定することができる。また、プロセッサ５１０は、ユーザグループデータベース５２２を参照することによって、ログインしているユーザに、Ｗｅｂページのデータであって、非表示のサービスに関する情報を除いたものを送信することができる。
＜ＳＮＳサーバ５００における情報処理＞
【０１０２】
次に、図１５を参照しながら、本実施の形態にかかるＳＮＳサーバ５００の情報処理について説明する。なお、図１５は、本実施の形態にかかるＳＮＳサーバ５００の情報処理を示すフローチャートである。
【０１０３】
ＳＮＳサーバ５００のプロセッサ５１０は、通信インターフェイス５６０を介して、サービス提供サーバ１００から、データを受信した際に以下の処理を実行する。
【０１０４】
プロセッサ５１０は、サービス提供サーバ１００からのデータから、ユーザＩＤと、ユーザが利用したサービスを示す情報とを抽出する（ステップＳ２０２）。
【０１０５】
プロセッサ５１０は、ユーザグループデータベース５２２を参照して、ユーザＩＤに対するグループＩＤを特定する。たとえば、プロセッサ５１０は、サービスを利用したユーザの家族ＩＤを特定する（ステップＳ２０４）。
【０１０６】
プロセッサ５１０は、ユーザグループデータベース５２２を参照して、当該サービスに関する情報の表示が禁止されているユーザを特定する（ステップＳ２０６）。
【０１０７】
プロセッサ５１０は、当該グループＩＤに基づいて、ユーザが属するＳＮＳのグループのページに、ユーザが利用したサービスを示す情報と、ユーザ名とを投稿する（ステップＳ２０８）。なお、プロセッサ１１０は、ユーザが利用したサービスを示す情報に、当該サービスに関する情報の表示が禁止されているユーザのユーザＩＤを紐づける。
【０１０８】
これによって、プロセッサ５１０は、通信端末６００からのページ取得情報に基づいて、通信インターフェイス５６０を介して、ユーザが利用したサービスを示す情報とユーザ名とを含む、ユーザが属するＳＮＳのグループのページのデータを通信端末６００に送信する。特に、本実施の形態においては、ログインしているユーザのユーザＩＤに基づいて、情報の表示が禁止されているサービスに関する情報を除いた、ＳＮＳのグループのページのデータを通信端末６００に送信する。
＜第３の実施の形態＞
【０１０９】
第３の実施の形態においては、サービスを利用したユーザの属するグループのＳＮＳのページに、当該サービスの利用に関する情報を投稿するものであった。そして、当該グループに属する全てのユーザが当該情報を閲覧可能なものであった。一方、本実施の形態においては、ユーザ毎に情報の提供をすべきサービスを特定することができるものである。
【０１１０】
なお、本実施の形態にかかるネットワークシステム１の全体構成および各機器のハードウェア構成については、第１の実施の形態のそれらと同様であるため、以下では、本実施の形態にかかる動作概要とユーザグループデータベースとＳＮＳサーバ５００における処理に関して説明するものとする。
＜ネットワークシステムの第１の動作概要＞
【０１１１】
次に、図１、図２、図１２、図１３を参照して、本実施の形態にかかるネットワークシステム１の第１の動作概要について説明する。
【０１１２】
図１に示すように、たとえば、おじいさんが、リモートコントローラ３００を利用して、テレビ２００を介して、サービス提供サーバ１００が運営するショッピングサイトで本を購入する。すると、ＳＮＳサーバ５００は、サービス提供サーバ１００から当該購入に関する情報を取得して、おじいさんの家族のグループのページに、おじいさんが本を購入したことを知らせるためのメッセージを投稿する。
【０１１３】
すると、図２に示すように、おじいさんの属するグループに属するユーザのうち、当該ショッピングサイトのサービスの情報を提示するように登録しているユーザの通信端末６００が、投稿されたメッセージを表示する。その結果、登録しているユーザが、通信端末６００を介して、おじいさんの動向を把握することができる。
【０１１４】
すなわち、本実施の形態においては、図１２や図１３に示すように、ショッピングサイトに対して閲覧要求をしていないユーザがログインしている機器２００に関しては、おじいさんが本を購入したことを知らせるためのメッセージが表示されない。
＜ネットワークシステムの第２の動作概要＞
【０１１５】
次に、図３、図４、図１２、図１３を参照して、本実施の形態にかかるネットワークシステム１の第１の動作概要について説明する。
【０１１６】
図３に示すように、たとえば、おじいさんが、テレビ２００でクイズ番組を視聴している。おじいさんは、リモートコントローラ３００を利用して、クイズ番組で出題されるクイズに回答する。具体的には、おじいさんは、リモートコントローラ３００を利用してテレビ２００に回答を入力する。テレビ２００は、回答をサービス提供サーバ１００に送信する。サービス提供サーバ１００は、採点結果をテレビ２００に返信する。
【０１１７】
ＳＮＳサーバ５００も、サービス提供サーバ１００から当該クイズの回答結果に関する情報を取得する。ＳＮＳサーバ５００は、おじいさんの家族のグループのページに、おじいさんのクイズの回答の採点結果を知らせるためのメッセージを投稿する。
【０１１８】
すると、図４に示すように、おじいさんの属するグループに属するユーザのうち、当該番組サイトの情報を提示するように登録しているユーザの通信端末６００が、投稿されたメッセージを表示する。その結果、登録しているユーザが、通信端末６００を介して、おじいさんの動向を把握することができる。
【０１１９】
すなわち、本実施の形態においては、図１２や図１３に示すように、番組サイトの情報の閲覧要求をしていないユーザがログインしている機器２００に関しては、おじいさんのクイズの点数が表示されない。
＜ネットワークシステムの他の動作概要＞
【０１２０】
他にも、たとえば、機器２００が、ユーザから受け付けた操作命令や機器２００の使用状態をサービス提供サーバ１００に送信してもよい。そして、サービス提供サーバ１００が、当該情報をＳＮＳサーバ５００に送信してもよい。そして、ＳＮＳサーバ５００が、機器２００がユーザから受け付けた操作命令や機器２００の使用状態を、ユーザの属するグループのページに投稿してもよい。この場合は、指定されたユーザのみに、おじいさんからの操作命令やおじいさんの機器２００の使用状態が表示される。
＜ユーザグループデータベース５２３＞
【０１２１】
次に、本実施の形態にかかるユーザグループデータベース５２３について説明する。図１６は、本実施の形態にかかるユーザグループデータベース５２３を示すイメージ図である。図１６を参照して、ユーザグループデータベース５２３は、ユーザとグループと情報を提示して欲しいサービスを特定するための情報との対応関係を格納する。なお、グループＩＤが、本実施の形態にかかるＳＮＳのグループを特定する。
【０１２２】
たとえば、ユーザグループデータベース５２３は、家族を特定するためのＩＤと、当該家族のユーザを特定するためのＩＤと、当該ユーザのニックネームなどと、当該ユーザに表示すべきサービスを特定するための情報とを対応付けて格納する。これによって、プロセッサ５１０は、ユーザグループデータベース５２３を参照することによって、サービス提供サーバ１００から受け付けたユーザＩＤに対応するグループや、当該グループに属するユーザのＩＤを特定することができる。また、プロセッサ５１０は、ユーザグループデータベース５２３を参照することによって、ログインしているユーザに、Ｗｅｂページのデータであって、表示が求められているサービスに関する情報を追加したものを送信することができる。
＜ＳＮＳサーバ５００における情報処理＞
【０１２３】
次に、図１７を参照しながら、本実施の形態にかかるＳＮＳサーバ５００の情報処理について説明する。なお、図１７は、本実施の形態にかかるＳＮＳサーバ５００の情報処理を示すフローチャートである。
【０１２４】
ＳＮＳサーバ５００のプロセッサ５１０は、通信インターフェイス５６０を介して、サービス提供サーバ１００から、データを受信した際に以下の処理を実行する。
【０１２５】
プロセッサ５１０は、サービス提供サーバ１００からのデータから、ユーザＩＤと、ユーザが利用したサービスを示す情報とを抽出する（ステップＳ３０２）。
【０１２６】
プロセッサ５１０は、ユーザグループデータベース５２３を参照して、ユーザＩＤに対するグループＩＤを特定する。たとえば、プロセッサ５１０は、サービスを利用したユーザの家族ＩＤを特定する（ステップＳ３０４）。
【０１２７】
プロセッサ５１０は、ユーザグループデータベース５２１を参照して、当該サービスに関する情報の表示を求めているユーザを特定する（ステップＳ３０６）。
【０１２８】
プロセッサ５１０は、当該グループＩＤに基づいて、ユーザが属するＳＮＳのグループのページに、ユーザが利用したサービスを示す情報と、ユーザ名とを投稿する（ステップＳ３０８）。なお、プロセッサ１１０は、ユーザが利用したサービスを示す情報に、当該サービスに関する情報の表示を求めているユーザのユーザＩＤを紐づける。
【０１２９】
これによって、プロセッサ５１０は、通信端末６００からのページ取得情報に基づいて、通信インターフェイス５６０を介して、ユーザが利用したサービスを示す情報とユーザ名とを含む、ユーザが属するＳＮＳのグループのページのデータを通信端末６００に送信する。特に、本実施の形態においては、ログインしているユーザのユーザＩＤに基づいて、情報の表示を求めているサービスに関する情報を追加した、ＳＮＳのグループのページのデータを通信端末６００に送信する。
＜第４の実施の形態＞
【０１３０】
第１から第３の実施の形態においては、サービスを利用したユーザの属するグループのＳＮＳのページに、当該サービスの利用に関する情報を投稿するものであった。一方、本実施の形態においては、サービスの利用に用いた機器の属するグループのＳＮＳのページに、当該サービスの利用に関する情報を投稿するものである。
【０１３１】
すなわち、第１から第３の実施の形態においては、ログインしたユーザにグループが対応付けられているものであったが、本実施の形態においては、機器がグループに対応付けられているものである。
【０１３２】
なお、本実施の形態にかかるネットワークシステム１の全体構成および各機器のハードウェア構成については、第１の実施の形態のそれらと同様であるため、以下では、本実施の形態にかかる動作概要とユーザグループデータベースとＳＮＳサーバ５００における処理に関して説明するものとする。
＜ネットワークシステムの第１の動作概要＞
【０１３３】
次に、図１および図１８を参照して、本実施の形態にかかるネットワークシステム１の第１の動作概要について説明する。なお、図１８は、本実施の形態にかかるネットワークシステム１の第１の動作概要の通信端末６００の画面例を示すイメージ図である。
【０１３４】
図１に示すように、たとえば、おじいさんが、リモートコントローラ３００を利用して、テレビ２００を介して、サービス提供サーバ１００が運営するショッピングサイトで本を購入する。すると、ＳＮＳサーバ５００は、サービス提供サーバ１００から当該購入に関する情報を取得して、テレビ２００のグループのページに、テレビ２００を介して本が購入されたことを知らせるためのメッセージを投稿する。
【０１３５】
すると、図１８に示すように、テレビ２００の属するグループに属する他のユーザの通信端末６００が、自動的に投稿されたメッセージを表示することができる。その結果、おじいさんの家のテレビ２００と同じグループに属する他のユーザは、通信端末６００を介して、おじいさんの動向を把握することができる。
＜ネットワークシステムの第２の動作概要＞
【０１３６】
次に、図３、図１９を参照して、本実施の形態にかかるネットワークシステム１の第１の動作概要について説明する。なお、図１９は、本実施の形態にかかるネットワークシステム１の第２の動作概要の通信端末６００の画面例を示すイメージ図である。
【０１３７】
図３に示すように、たとえば、おじいさんが、テレビ２００でクイズ番組を視聴している。おじいさんは、リモートコントローラ３００を利用して、クイズ番組で出題されるクイズに回答する。具体的には、おじいさんは、リモートコントローラ３００を利用してテレビ２００に回答を入力する。テレビ２００は、回答をサービス提供サーバ１００に送信する。サービス提供サーバ１００は、採点結果をテレビ２００に返信する。
【０１３８】
ＳＮＳサーバ５００も、サービス提供サーバ１００から当該クイズの回答結果に関する情報を取得する。ＳＮＳサーバ５００は、テレビ２００のグループのページに、テレビ２００を利用したクイズの回答の採点結果を知らせるためのメッセージを投稿する。
【０１３９】
すると、図１９に示すように、テレビ２００の属するグループに属するユーザの通信端末６００が、投稿されたメッセージを表示することができる。その結果、おじいさんの家のテレビ２００と同じグループに属するユーザは、通信端末６００を介して、おじいさんの動向を把握することができる。
＜ネットワークシステムの他の動作概要＞
【０１４０】
他にも、たとえば、機器２００が、ユーザから受け付けた操作命令や機器２００の使用状態をサービス提供サーバ１００に送信してもよい。そして、サービス提供サーバ１００が、当該情報をＳＮＳサーバ５００に送信してもよい。そして、ＳＮＳサーバ５００が、機器２００が受け付けた操作命令や機器２００の使用状態を、機器２００の属するグループのページに投稿してもよい。
＜機器グループデータベース５２４＞
【０１４１】
次に、本実施の形態にかかるＳＮＳサーバ５００は、第１の実施の形態のユーザグループデータベース５２１に加えて、機器グループデータベース５２４を記憶する。図２０は、本実施の形態にかかる機器グループデータベース５２４を示すイメージ図である。図２０を参照して、機器グループデータベース５２４は、機器とグループとの対応関係を格納する。なお、グループＩＤが、本実施の形態にかかるＳＮＳのグループを特定する。
【０１４２】
たとえば、機器グループデータベース５２４は、家族を特定するためのＩＤと、当該家族や親族や友達の家に配置されている機器を特定するためのＩＤと、当該機器のニックネームなどとを対応付けて格納する。これによって、プロセッサ５１０は、ユーザグループデータベース５２１と機器グループデータベース５２４とを参照することによって、サービス提供サーバ１００から受け付けた機器ＩＤに対応するグループや、当該グループに属するユーザのＩＤや機器のＩＤを特定することができる。
＜ＳＮＳサーバ５００における情報処理＞
【０１４３】
次に、図２１を参照しながら、本実施の形態にかかるＳＮＳサーバ５００の情報処理について説明する。なお、図２１は、本実施の形態にかかるＳＮＳサーバ５００の情報処理を示すフローチャートである。
【０１４４】
ＳＮＳサーバ５００のプロセッサ５１０は、通信インターフェイス５６０を介して、サービス提供サーバ１００から、データを受信した際に以下の処理を実行する。
【０１４５】
プロセッサ５１０は、サービス提供サーバ１００からのデータから、機器ＩＤと、ユーザが利用したサービスを示す情報とを抽出する（ステップＳ４０２）。
【０１４６】
プロセッサ５１０は、機器グループデータベース５２４を参照して、機器ＩＤに対応するグループＩＤを特定する。たとえば、プロセッサ５１０は、サービスを利用したユーザの家族ＩＤを特定する（ステップＳ４０４）。
【０１４７】
プロセッサ５１０は、当該グループＩＤに基づいて、機器が属するＳＮＳのグループのページに、機器２００を介して利用されたサービスを示す情報と、機器を特定するための情報とを投稿する（ステップＳ４０８）。
【０１４８】
これによって、プロセッサ５１０は、通信端末６００からのページ取得情報に基づいて、通信インターフェイス５６０を介して、機器２００を介して利用されたサービスを示す情報と機器の特定情報とを含む、ユーザが属するＳＮＳのグループのページのデータを通信端末６００に送信する。
＜第５の実施の形態＞
【０１４９】
第４の実施の形態においては、サービスを利用した機器２００の属するグループのＳＮＳのページに、当該サービスの利用に関する情報を投稿するものであった。そして、当該グループに属する全てのユーザが当該情報を閲覧可能なものであった。一方、本実施の形態においては、機器２００毎に情報の提供を禁止することができるものである。
【０１５０】
なお、本実施の形態にかかるネットワークシステム１の全体構成および各機器のハードウェア構成については、第１の実施の形態のそれらと同様であるため、以下では、本実施の形態にかかる動作概要とユーザグループデータベースとＳＮＳサーバ５００における処理に関して説明するものとする。
＜ネットワークシステムの第１の動作概要＞
【０１５１】
次に、図１、図１８、図１２、図１３を参照して、本実施の形態にかかるネットワークシステム１の第１の動作概要について説明する。
【０１５２】
図１に示すように、たとえば、おじいさんが、リモートコントローラ３００を利用して、テレビ２００を介して、サービス提供サーバ１００が運営するショッピングサイトで本を購入する。すると、ＳＮＳサーバ５００は、サービス提供サーバ１００から当該購入に関する情報を取得して、おじいさんの家のテレビ２００のグループのページに、おじいさんの家のテレビ２００を介して本が購入されたことを知らせるためのメッセージを投稿する。
【０１５３】
すると、図１８に示すように、おじいさんの家のテレビ２００の属するグループに属する他のユーザの通信端末６００が、自動的に投稿されたメッセージを表示することができる。その結果、おじいさんの家のテレビ２００と同じグループに属する他のユーザは、通信端末６００を介して、おじいさんの動向を把握することができる。
【０１５４】
ただし、本実施の形態においては、図１２に示すように、おじいさんの家のテレビ２００に関しては、本が購入されたことを知らせるためのメッセージが表示されない。なお、図１３に示すように、おじいさんのスマートフォンに関しても、本が購入されたことを知らせるためのメッセージが表示されないように設定することができる。これによって、おじいさんは、自分が監視されているという嫌な気分を味わいにくくなる。
＜ネットワークシステムの第２の動作概要＞
【０１５５】
次に、図３、図１９、図１２、図１３を参照して、本実施の形態にかかるネットワークシステム１の第１の動作概要について説明する。
【０１５６】
図３に示すように、たとえば、おじいさんが、テレビ２００でクイズ番組を視聴している。おじいさんは、リモートコントローラ３００を利用して、クイズ番組で出題されるクイズに回答する。具体的には、おじいさんは、リモートコントローラ３００を利用してテレビ２００に回答を入力する。テレビ２００は、回答をサービス提供サーバ１００に送信する。サービス提供サーバ１００は、採点結果をテレビ２００に返信する。
【０１５７】
ＳＮＳサーバ５００も、サービス提供サーバ１００から当該クイズの回答結果に関する情報を取得する。ＳＮＳサーバ５００は、おじいさんの家のテレビ２００のグループのページに、おじいさんの家のテレビ２００からの回答の採点結果を知らせるためのメッセージを投稿する。
【０１５８】
すると、図１９に示すように、おじいさんの家のテレビ２００が属するグループに属するユーザの通信端末６００が、投稿されたメッセージを表示することができる。その結果、おじいさんの家のテレビ２００と同じグループに属するユーザは、通信端末６００を介して、おじいさんの動向を把握することができる。
【０１５９】
ただし、本実施の形態においては、図１２に示すように、おじいさんの家のテレビ２００に関しては、クイズの回答結果を示すメッセージが表示されない。同様に、図１３に示すように、おじいさんのスマートフォンに関しても、クイズの回答結果を示すメッセージが表示されないように設定することができる。これによって、おじいさんは、自分が監視されているという嫌な気分を味わいにくくなる。
＜ネットワークシステムの他の動作概要＞
【０１６０】
他にも、たとえば、機器２００が、ユーザから受け付けた操作命令や機器２００の使用状態をサービス提供サーバ１００に送信してもよい。そして、サービス提供サーバ１００が、当該情報をＳＮＳサーバ５００に送信してもよい。そして、ＳＮＳサーバ５００が、機器２００が受け付けた操作命令や機器２００の使用状態を、機器２００の属するグループのページに投稿してもよい。この場合は、おじいさんの家のテレビ２００には、テレビ２００に対する操作命令やテレビ２００の使用状態が表示されない。
＜機器グループデータベース５２５＞
【０１６１】
次に、本実施の形態にかかるＳＮＳサーバ５００は、第１の実施の形態のユーザグループデータベース５２１に加えて、機器グループデータベース５２５を記憶する。図２２は、本実施の形態にかかる機器グループデータベース５２５を示すイメージ図である。図２２を参照して、機器グループデータベース５２５は、機器とグループと情報を提示しないサービスを特定するための情報との対応関係を格納する。なお、グループＩＤが、本実施の形態にかかるＳＮＳのグループを特定する。
【０１６２】
たとえば、機器グループデータベース５２５は、家族を特定するためのＩＤと、当該家族の機器を特定するためのＩＤと、当該機器のニックネームなどと、当該ユーザに非表示のサービスを特定するための情報とを対応付けて格納する。これによって、プロセッサ５１０は、機器グループデータベース５２５を参照することによってサービス提供サーバ１００から受け付けた機器ＩＤに対応するグループを特定することができ、ユーザグループデータベース５２１を参照することによって当該グループに属するユーザのＩＤや機器ＩＤを特定することができる。そして、プロセッサ５１０は、機器グループデータベース５２５を参照することによって、機器２００毎に、Ｗｅｂページのデータであって、非表示のサービスに関する情報を除いたものを送信することができる。
＜ＳＮＳサーバ５００における情報処理＞
【０１６３】
次に、図２３を参照しながら、本実施の形態にかかるＳＮＳサーバ５００の情報処理について説明する。なお、図２３は、本実施の形態にかかるＳＮＳサーバ５００の情報処理を示すフローチャートである。
【０１６４】
ＳＮＳサーバ５００のプロセッサ５１０は、通信インターフェイス５６０を介して、サービス提供サーバ１００から、データを受信した際に以下の処理を実行する。
【０１６５】
プロセッサ５１０は、サービス提供サーバ１００からのデータから、機器ＩＤと、機器を介して利用されたサービスを示す情報とを抽出する（ステップＳ５０２）。
【０１６６】
プロセッサ５１０は、機器グループデータベース５２５を参照して、機器ＩＤに対するするグループＩＤを特定する。たとえば、プロセッサ５１０は、サービスが利用された機器が設置されている家の家族ＩＤを特定する（ステップＳ５０４）。
【０１６７】
プロセッサ５１０は、機器グループデータベース５２５を参照して、当該サービスに関する情報の表示が禁止されている機器を特定する（ステップＳ５０６）。
【０１６８】
プロセッサ５１０は、当該グループＩＤに基づいて、機器２００が属するＳＮＳのグループのページに、機器２００を介して利用されたサービスを示す情報と、機器名とを投稿する（ステップＳ５０８）。なお、プロセッサ１１０は、機器を介して利用されたサービスを示す情報に、当該サービスに関する情報の表示が禁止されている機器の機器ＩＤを紐づける。
【０１６９】
これによって、プロセッサ５１０は、通信端末６００からのページ取得情報に基づいて、通信インターフェイス５６０を介して、機器２００を介して利用されたサービスを示す情報と機器名とを含む、機器が属するＳＮＳのグループのページのデータを通信端末６００に送信する。特に、本実施の形態においては、ページを要求してきた通信端末６００の機器ＩＤに基づいて、情報の表示が禁止されている通信端末６００に関する情報を除いた、ＳＮＳのグループのページのデータを通信端末６００に送信する。上述したように、通信端末６００は、機器２００であってもよい。
＜第６の実施の形態＞
【０１７０】
第６の実施の形態においては、サービスの利用に用いた機器２００の属するグループのＳＮＳのページに、当該サービスの利用に関する情報を投稿するものであった。そして、当該グループに属する全てのユーザが当該情報を閲覧可能なものであった。一方、本実施の形態においては、機器毎に情報の提供をすべきサービスを特定することができるものである。
【０１７１】
なお、本実施の形態にかかるネットワークシステム１の全体構成および各機器のハードウェア構成については、第１の実施の形態のそれらと同様であるため、以下では、本実施の形態にかかる動作概要とユーザグループデータベースとＳＮＳサーバ５００における処理に関して説明するものとする。
＜ネットワークシステムの第１の動作概要＞
【０１７２】
次に、図１、図１８、図１２、図１３を参照して、本実施の形態にかかるネットワークシステム１の第１の動作概要について説明する。
【０１７３】
図１に示すように、たとえば、おじいさんが、リモートコントローラ３００を利用して、テレビ２００を介して、サービス提供サーバ１００が運営するショッピングサイトで本を購入する。すると、ＳＮＳサーバ５００は、サービス提供サーバ１００から当該購入に関する情報を取得して、おじいさんの家族のグループのページに、おじいさんの家のテレビ２００を介して本が購入されたことを知らせるためのメッセージを投稿する。
【０１７４】
すると、図１８に示すように、おじいさんの家のテレビ２００の属するグループに属するユーザのうち、当該ショッピングサイトのサービスの情報を提示するように登録している通信端末６００が、投稿されたメッセージを表示する。その結果、登録している通信端末６００を介して、おじいさんの家族などが、おじいさんの動向を把握することができる。
【０１７５】
すなわち、本実施の形態においては、図１２や図１３に示すように、ショッピングサイトに対して閲覧要求をしていない機器２００に関しては、おじいさんの家のテレビ２００を介して本が購入されたことを知らせるためのメッセージが表示されない。
＜ネットワークシステムの第２の動作概要＞
【０１７６】
次に、図３、図１９、図１２、図１３を参照して、本実施の形態にかかるネットワークシステム１の第２の動作概要について説明する。
【０１７７】
図３に示すように、たとえば、おじいさんが、テレビ２００でクイズ番組を視聴している。おじいさんは、リモートコントローラ３００を利用して、クイズ番組で出題されるクイズに回答する。具体的には、おじいさんは、リモートコントローラ３００を利用してテレビ２００に回答を入力する。テレビ２００は、回答をサービス提供サーバ１００に送信する。サービス提供サーバ１００は、採点結果をテレビ２００に返信する。
【０１７８】
ＳＮＳサーバ５００も、サービス提供サーバ１００から当該クイズの回答結果に関する情報を取得する。ＳＮＳサーバ５００は、おじいさんの家族のグループのページに、おじいさんの家のテレビ２００からの回答の採点結果を知らせるためのメッセージを投稿する。
【０１７９】
すると、図１９に示すように、おじいさんの家のテレビ２００が属するグループに属するユーザのうち、当該番組サイトの情報を提示するように登録している通信端末６００が、投稿されたメッセージを表示する。その結果、登録している通信端末６００を介して、おじいさんの家族などが、おじいさんの動向を把握することができる。
【０１８０】
すなわち、本実施の形態においては、図１２や図１３に示すように、番組サイトの情報の閲覧要求をしていない機器２００に関しては、おじいさんのクイズの点数が表示されない。
＜ネットワークシステムの他の動作概要＞
【０１８１】
他にも、たとえば、機器２００が、ユーザから受け付けた操作命令や機器２００の使用状態をサービス提供サーバ１００に送信してもよい。そして、サービス提供サーバ１００が、当該情報をＳＮＳサーバ５００に送信してもよい。そして、ＳＮＳサーバ５００が、機器２００が受け付けた操作命令や機器２００の使用状態を、機器２００の属するグループのページに投稿してもよい。この場合は、指定された機器にしか、テレビ２００に対する操作命令やテレビ２００の使用状態が表示されない。
＜機器グループデータベース５２６＞
【０１８２】
次に、本実施の形態にかかるＳＮＳサーバ５００は、第１の実施の形態のユーザグループデータベース５２１に加えて、機器グループデータベース５２６を記憶する。図２４は、本実施の形態にかかる機器グループデータベース５２６を示すイメージ図である。図２４を参照して、機器グループデータベース５２６は、機器とグループと情報を提示して欲しいサービスを特定するための情報との対応関係を格納する。なお、グループＩＤが、本実施の形態にかかるＳＮＳのグループを特定する。
【０１８３】
たとえば、機器グループデータベース５２６は、家族を特定するためのＩＤと、当該家族の機器を特定するためのＩＤと、当該機器のニックネームなどと、当該機器に表示すべきサービスを特定するための情報とを対応付けて格納する。これによって、プロセッサ５１０は、機器グループデータベース５２６を参照することによって、サービス提供サーバ１００から受け付けた機器ＩＤに対応するグループや、当該グループに属するユーザのＩＤや機器ＩＤを特定することができる。また、プロセッサ５１０は、機器グループデータベース５２６を参照することによって、機器２００毎に、Ｗｅｂページのデータであって、表示が求められているサービスに関する情報を追加したものを送信することができる。
＜ＳＮＳサーバ５００における情報処理＞
【０１８４】
次に、図２５を参照しながら、本実施の形態にかかるＳＮＳサーバ５００の情報処理について説明する。なお、図２５は、本実施の形態にかかるＳＮＳサーバ５００の情報処理を示すフローチャートである。
【０１８５】
ＳＮＳサーバ５００のプロセッサ５１０は、通信インターフェイス５６０を介して、サービス提供サーバ１００から、データを受信した際に以下の処理を実行する。
【０１８６】
プロセッサ５１０は、サービス提供サーバ１００からのデータから機器ＩＤと、機器を介して利用されたサービスを示す情報とを抽出する（ステップＳ６０２）。
【０１８７】
プロセッサ５１０は、機器グループデータベース５２６を参照して、機器ＩＤに対するするグループＩＤを特定する。たとえば、プロセッサ５１０は、サービスが利用された機器が設置されている家の家族ＩＤを特定する（ステップＳ６０４）。
【０１８８】
プロセッサ５１０は、機器グループデータベース５２６を参照して、当該サービスに関する情報の表示を求めている機器を特定する（ステップＳ６０６）。
【０１８９】
プロセッサ５１０は、当該グループＩＤに基づいて、機器２００が属するＳＮＳのグループのページに、機器２００を介して利用されたサービスを示す情報と、機器名とを投稿する（ステップＳ６０８）。なお、プロセッサ１１０は、機器を介して利用されたサービスを示す情報に、当該サービスに関する情報の表示を求めている機器の機器ＩＤを紐づける。
【０１９０】
これによって、プロセッサ５１０は、通信端末６００からのページ取得情報に基づいて、通信インターフェイス５６０を介して、機器２００を介して利用されたサービスを示す情報と機器名とを含む、ユーザが属するＳＮＳのグループのページのデータを通信端末６００に送信する。特に、本実施の形態においては、ページを要求してきた通信端末６００の機器ＩＤに基づいて、情報の表示を求めているサービスに関する情報を追加した、ＳＮＳのグループのページのデータを通信端末６００に送信する。
＜第７の実施の形態＞
【０１９１】
第１から第３の実施の形態は、ユーザに対応付けられた情報を、当該ユーザが属するグループに属するユーザに表示するものであった。また、ページを閲覧するユーザに応じて、当該情報を非表示にしたり、表示したりするものであった。一方、第４から第６の実施の形態は、機器に対応付けられた情報を、当該機器が属するグループに属する機器に表示するものであった。また、ページを閲覧する機器に応じて、当該情報を非表示にしたり、表示したりするものであった。
【０１９２】
しかしながら、本実施の形態として、利用されたサービスに関する情報を閲覧する側のユーザに関わりなく、サービスを利用するユーザに応じて、当該情報を非表示にしたり、表示したりしてもよい。あるいは、利用されたサービスに関する情報を表示する側の機器に関わりなく、サービスの利用に用いられた機器に応じて、当該情報を非表示にしたり、表示したりしてもよい。
＜第８の実施の形態＞
【０１９３】
第１から第７の実施の形態は、ＳＮＳサーバ５００がサービス提供サーバ１００からサービスの利用に関する情報を取得して、ＳＮＳサーバ５００がＳＮＳのページに情報を投稿するものであった。しかしながら、サービス提供サーバ１００が、ＳＮＳサーバ５００の役割の一部または全部を担ってもよい。逆に、ＳＮＳサーバ５００が、サービス提供サーバ１００の役割の一部または全部を担ってもよい。
＜第９の実施の形態＞
【０１９４】
第１から第９の実施の形態においては、図１および図３に示すように、サービス提供サーバ１００、ＳＮＳサーバ５００、機器２００、通信端末６００が、直接的にインターネットを介して、データをやり取りするものであった。しかしながら、サービス提供サーバ１００、ＳＮＳサーバ５００、機器２００、通信端末６００は、ルータやアダプタなどを介して、インターネットやキャリア網に接続されるものであってもよい。
＜その他の応用例＞
【０１９５】
本発明は、システム或いは装置にプログラムを供給することによって達成される場合にも適用できることはいうまでもない。そして、本発明を達成するためのソフトウェアによって表されるプログラムを格納した記憶媒体（あるいはメモリ）を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０１９６】
この場合、記憶媒体から読出されたプログラムコード自体が前述した実施の形態の機能を実現することになり、そのプログラムコードを記憶した記憶媒体は本発明を構成することになる。
【０１９７】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１９８】
さらに、記憶媒体から読み出されたプログラムコードが、コンピュータに挿入された機能拡張ボードやコンピュータに接続された機能拡張ユニットに備わる他の記憶媒体に書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
＜上記の複数の実施の形態のまとめ＞
【０１９９】
上記の第１から第３および第７から第９の実施の形態においては、ユーザによるサービスの利用に関する情報を、ユーザに対応するＳＮＳ（Social Networking Service）のグループに投稿する、ネットワークシステム１が提供される。
【０２００】
上記の第２および第７から第９の実施の形態においては、ネットワークシステム１は、情報を、ユーザに対応するＳＮＳのグループの他のユーザに向けて出力する。
【０２０１】
上記の第３および第７から第９の実施の形態においては、ネットワークシステム１は、情報を、ユーザに対応するＳＮＳのグループのうちの指定されたユーザに向けて出力する。
【０２０２】
上記の第１から第３および第７から第９の実施の形態においては、通信インターフェイス５６０と、通信インターフェイス５６０を介して、ユーザによるサービスの利用に関する情報を取得して、ユーザに対応するＳＮＳのグループに投稿するためのプロセッサ５１０とを備えるサーバが提供される。
【０２０３】
上記の第１から第３および第７から第９の実施の形態においては、ＳＮＳを利用した情報提供方法が提供される。情報提供方法は、ユーザがサービスを利用するステップと、サーバ５００がユーザに対応するＳＮＳのグループにユーザによるサービスの利用に関する情報を投稿するステップとを備える。
【０２０４】
上記の第４から第６および第７から第９の実施の形態においては、機器２００を介したサービスの利用に関する情報を、機器２００に対応するＳＮＳのグループに投稿する、ネットワークシステム１が提供される。
【０２０５】
上記の第５および第７から第９の実施の形態においては、ネットワークシステム１は、情報を、機器２００に対応するＳＮＳのグループの他の機器に対して出力する。
【０２０６】
上記の第６および第７から第９の実施の形態においては、ネットワークシステム１は、情報を、機器２００に対応するＳＮＳのグループのうちの指定の機器に対して出力する。
【０２０７】
上記の第４から第６および第７から第９の実施の形態においては、通信インターフェイス５６０と、通信インターフェイス５６０を介して、機器２００を介したサービスの利用に関する情報を取得して、機器２００に対応するＳＮＳのグループに投稿するためのプロセッサ５１０とを備えるサーバ５００が提供される。
【０２０８】
上記の第４から第６および第７から第９の実施の形態においては、ＳＮＳを利用した情報提供方法が提供される。情報提供方法は、ユーザが機器２００を介してサービスを利用するステップと、サーバ５００が機器２００に対応するＳＮＳのグループに機器２００を介したサービスの利用に関する情報を投稿するステップとを備える。
【０２０９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０２１０】
１        ：ネットワークシステム
１００    ：サービス提供サーバ
１１０    ：プロセッサ
１２０    ：メモリ
１３０    ：ライト
１４０    ：スイッチ
１６０    ：通信インターフェイス
２００    ：機器
２１０    ：プロセッサ
２２０    ：メモリ
２３０    ：ライト
２４０    ：スイッチ
２６０    ：通信インターフェイス
２７０    ：スピーカ
２８０    ：リモートコントローラ受光部
２９０    ：機器駆動部
３００    ：リモートコントローラ
５００    ：ＳＮＳサーバ
５１０    ：プロセッサ
５２０    ：メモリ
５２１    ：ユーザグループデータベース
５２２    ：ユーザグループデータベース
５２３    ：ユーザグループデータベース
５２４    ：機器グループデータベース
５２５    ：機器グループデータベース
５２６    ：機器グループデータベース
５３０    ：ライト
５４０    ：スイッチ
５６０    ：通信インターフェイス
６００    ：通信端末
６１０    ：プロセッサ
６２０    ：メモリ
６３０    ：ディスプレイ
６４０    ：ポインティングデバイス
６５０    ：タッチパネル
６６０    ：通信インターフェイス
６８０    ：スピーカ
【図１】
2016118952.tif 000003
【図２】
2016118952.tif 000004
【図３】
2016118952.tif 000005
【図４】
2016118952.tif 000006
【図５】
2016118952.tif 000007
【図６】
2016118952.tif 000008
【図７】
2016118952.tif 000009
【図８】
2016118952.tif 000010
【図９】
2016118952.tif 000011
【図１０】
2016118952.tif 000012
【図１１】
2016118952.tif 000013
【図１２】
2016118952.tif 000014
【図１３】
2016118952.tif 000015
【図１４】
2016118952.tif 000016
【図１５】
2016118952.tif 000017
【図１６】
2016118952.tif 000018
【図１７】
2016118952.tif 000019
【図１８】
2016118952.tif 000020
【図１９】
2016118952.tif 000021
【図２０】
2016118952.tif 000022
【図２１】
2016118952.tif 000023
【図２２】
2016118952.tif 000024
【図２３】
2016118952.tif 000025
【図２４】
2016118952.tif 000026
【図２５】
2016118952.tif 000027